(57)【要約】【課題】  ＪＩＳ規格試験等の試験を行う際、被試験物のサイズや形状によらず、該被試験物を基台に簡単に支持固定することができ、もって該試験を簡便に行うことが可能な被試験物の固定用基台を提供する。【解決手段】  被試験物の固定用基台は、被試験物を載置するための被試験物載置面７が設けられた基台本体１を有し、上記被試験物載置面７に、断面Ｔ字状をなすＴ溝６を所定方向に延びるように設け、上記Ｔ溝６内には、該Ｔ溝６の形状に対応する断面逆Ｔ字形状のＴナットブロック２の複数個を摺動可能に挿入することで、上記被試験物載置面７上における上記被試験物の移動を抑制する固定手段を、該Ｔナットブロック２に螺着可能に構成されている。【選択図】      図２
2013072818.tif 000002
【特許請求の範囲】
【請求項１】
被試験物を載置するための被試験物載置面が設けられた基台本体を有し、
上記被試験物載置面に、断面Ｔ字状をなすＴ溝を所定方向に延びるように設け、
上記Ｔ溝内には、該Ｔ溝の形状に対応する断面逆Ｔ字形状のＴナットブロックの複数個を摺動可能に挿入することで、
上記被試験物載置面上における上記被試験物の移動を抑制する固定手段を、該Ｔナットブロックに螺着可能に構成されている
ことを特徴とする被試験物の固定用基台。
【請求項２】
上記固定手段は、ボルト貫通穴および／またはボルト貫通スリットが複数個貫設された鋼材からなるストッパーであり、
上記ストッパーは、上記Ｔ溝内で摺動させることで上記被試験物載置面の所定位置に配置された上記Ｔナットブロックの複数個に対し、上記ボルト貫通穴および／またはボルト貫通スリットを介し、ボルトを用いて止着されており、
被試験物の下縁を上記ストッパーに当接支持させるようにした
請求項１に記載の被試験物の固定用基台。
【請求項３】
上記固定手段は、ボルト貫通穴および／またはボルト貫通スリットが複数個貫設された台座であり、
上記台座は、上記Ｔ溝内で摺動させることで上記被試験物載置面の所定位置に配置された上記Ｔナットブロックの複数個に対し、上記ボルト貫通穴および／またはボルト貫通スリットを介し、ボルトを用いて止着されており、
被試験物を上記台座に支持固定させるようにした
請求項１に記載の被試験物の固定用基台。
【請求項４】
被試験物を載置するための被試験物載置面が設けられた基台本体を有し、
上記被試験物載置面に、断面Ｔ字状をなすＴ溝を所定方向に延びるように設け、
上記Ｔ溝の形状に対応する断面逆Ｔ字形状の摺動ブロックと、該摺動ブロックから上方に差し出されたネジ軸と、からなるＴボルトブロックの複数個を、該摺動ブロックを介して摺動自在に上記Ｔ溝内に挿入し、
上記Ｔボルトブロックのネジ軸に対し、スリットが設けられた固定板を、該スリットを介して挿通し、
上記固定板の上側から上記ネジ軸にナットを螺着し、
上記被試験物載置面上における上記被試験物の移動を抑制する固定手段を、上記固定板と上記基台本体の被試験物載置面との間で挟持固定するようにした
ことを特徴とする被試験物の固定用基台。
【請求項５】
上記固定板には更にネジ穴が設けられており、
上記ネジ穴には、座板から回転可能に立設されたネジ軸が螺着されており、
上記座板は上記基台本体の被試験物載置面上に載置されている
請求項４に記載の被試験物の固定用基台。
【発明の詳細な説明】
【技術分野】
【０００１】
本発明は、例えば入浴台、浴室内すのこ、浴槽内すのこ、浴槽内いす、ポータブルトイレ、和式洋式変換便座、立設手すり等の主として老人や身体障害者等が使用する福祉用具あるいは家具等の被試験物の強度を測定する場合に、該被試験物を固定するために使用される固定用基台に関するものである。
【背景技術】
【０００２】
現在、上記のような福祉用具に関しては、ＪＩＳ規格の制定が進められている。福祉用具のＪＩＳ規格としては、下記の規格がある。
ＪＩＳ  Ｔ  ９２５７  福祉用具−入浴台
ＪＩＳ  Ｔ  ９２５８  福祉用具−浴室内すのこ及び浴槽内すのこ
ＪＩＳ  Ｔ  ９２５９  福祉用具−浴槽内いす
ＪＩＳ  Ｔ  ９２６０  福祉用具−入浴用いす
ＪＩＳ  Ｔ  ９２６１  福祉用具−ポータブルトイレ
ＪＩＳ  Ｔ  ９２６２  福祉用具−和式洋式変換便座
これらＪＩＳ規格では、安定性試験、静的強度試験、耐衝撃試験、耐久性試験等の試験方法および要求性能が規定されている。
また立設手すりに関しては、例えば財団法人ベターリビングの「優良住宅部品性能試験方法書」に「補高・動作補助手すり」や「墜落防止手すり」に関して試験方法が記載されている。
この種の試験を行う試験機は、基台に被試験物を固定しておいて、加負荷装置によって荷重、衝撃等を加えることによって、被試験物の強度、耐久性、安全性等を試験するものであるが、従来、基台に被試験物を固定する手段としては、該試験機の枠体に抑止板を掛け渡し、該抑止板の両端を枠体にボルトによって締結をする方式（特許文献１）や、該試験機の枠体にストッパーとしてアングル鋼材を差し渡し、両端をシャコ万力によって固定する方式、あるいは立設手すりの試験機の場合は、試験機の基台上に別体の手すり固定枠を取り付けていた。
【先行技術文献】
【特許文献】
【０００３】
【特許文献１】特開平４−９５８４１号公報
【発明の概要】
【発明が解決しようとする課題】
【０００４】
上記従来の方法にあっては、抑止板の両端を枠体にボルトによって締結する構成では、枠体の両側に複数個のボルト穴を別設することが必要であるが、この方式では複数個のボルト穴の位置、間隔によって被試験物の寸法が規制され、如何なる幅の被試験物にも適用することが出来ないこと、またアングル鋼材の両端をシャコ万力によって固定する方式では、如何なる被試験物の幅にも適用可能であるが、枠体からアングル鋼材の両端がはみ出したり、シャコ万力が邪魔になったりする等、試験する場合に安全性、作業性の点で問題があり、また基台上に別体の固定枠を設置する方式では、固定枠の取り付けにかなりの手間がかかる。
【課題を解決するための手段】
【０００５】
本発明は上記従来の課題を解決して、被試験物の寸法に係わらず、簡単に該被試験物を基台に固定することを目的とし、上記目的を達成する手段として、被試験物を載置するための被試験物載置面７が設けられた基台本体１を有し、上記被試験物載置面７に、断面Ｔ字状をなすＴ溝６を所定方向に延びるように設け、上記Ｔ溝６内には、該Ｔ溝６の形状に対応する断面逆Ｔ字形状のＴナットブロック２の複数個を摺動可能に挿入することで、上記被試験物載置面７上における上記被試験物の移動を抑制する固定手段を、該Ｔナットブロック２に螺着可能に構成されている被試験物の固定用基台、あるいは、被試験物を載置するための被試験物載置面７が設けられた基台本体１を有し、上記被試験物載置面７に、断面Ｔ字状をなすＴ溝６を所定方向に延びるように設け、上記Ｔ溝６の形状に対応する断面逆Ｔ字形状の摺動ブロックと、該摺動ブロックから上方に差し出されたネジ軸と、からなるＴボルトブロックの複数個を、該摺動ブロックを介して摺動自在に上記Ｔ溝６内に挿入し、上記Ｔボルトブロックのネジ軸に対し、スリットが設けられた固定板を、該スリットを介して挿通し、上記固定板の上側から上記ネジ軸にナットを螺着し、上記被試験物載置面上における上記被試験物の移動を抑制する固定手段を、上記固定板と上記基台本体１の被試験物載置面７との間で挟持固定するようにした被試験物の固定用基台を提供するものである。
上記Ｔ溝６内にＴナットブロック２の複数個を摺動可能に挿入する構成においては、上記固定手段として、複数個のボルト貫通穴３２および／またはボルト貫通スリットが貫設された鋼材からなるストッパー３０を使用し、上記ストッパー３０は、上記Ｔ溝６内で摺動させることで上記被試験物載置面７の所定位置に配置された上記Ｔナットブロック２の複数個に対し、上記ボルト貫通穴３２および／またはボルト貫通スリットを介し、ボルトを用いて止着されており、被試験物の下縁を上記ストッパー３０に当接支持させるようにする。
あるいは固定手段として、ボルト貫通穴３２および／またはボルト貫通スリットが複数個貫設された台座４２を使用する場合には、上記Ｔ溝６内で摺動させることで上記被試験物載置面７の所定位置に配置された上記Ｔナットブロック２の複数個に対し、上記台座４２のボルト貫通穴３２および／またはボルト貫通スリットを介し、ボルトを用いて止着されており、被試験物を上記台座４２に支持固定させるようにする。
上記Ｔ溝６内にＴボルトブロックの複数個を摺動可能に挿入する構成においては、上記固定板に更にネジ穴５６を設け、上記ネジ穴５６に座板５７上に回転可能に立設されているねじ軸を螺着し、該座板５７は上記基台本体１の被試験物載置面７上に載置する構成を採用することが望ましい。
【発明の効果】
【０００６】
〔作用〕
請求項１に記載の発明において、基台本体１の被試験物載置面７に載置されている被試験物を固定するには、上記被試験物のサイズ、形状に対応して、複数個のＴナットブロック２を上記被試験物載置面７に設けられているＴ溝６に沿って摺動させて所定位置に配置し、その上で該被試験物の固定手段をねじ止めする。
請求項２に記載の発明において、該被試験物の固定手段が鋼材からなるストッパー３０である場合には、該ストッパー３０に設けられた複数個のボルト貫通穴３２および／またはボルト貫通スリットを介して、ボルトを用い、所定位置に配置した上記複数個のＴナットブロック２に止着する。
請求項３に記載の発明においては、上記被試験物の固定手段が、台座４２である場合には、所定位置に配置した上記複数個のＴナットブロック２に該台座４２の複数個のボルト貫通穴３２および／またはボルト貫通スリットを介してボルトを用い、止着する。
請求項４に記載の発明において、基台の被試験物載置面７に載置されている被試験物を固定するには、上記被試験物のサイズ、形状に対応して複数個のＴボルトブロックを上記被試験物載置面７に設けられているＴ溝６に沿って摺動させて所定位置に配置し、その上でナットを締め付けて固定板を押圧することによって、上記固定板と上記基台本体１の被試験物載置面７との間で該被試験物の固定手段を挟持固定する。
請求項５に記載の発明においては、上記固定板に更にネジ穴５６を設け、上記ネジ穴５６に上記基台本体１の被試験物載置面７上に載置されている座板５７上に回転可能に立設されているネジ軸を螺着する。この場合には上記固定板は二点支持されることになるので、ぐらつきがなく安定するから、該被試験物の固定手段に対する固定力が増大する。
【０００７】
〔効果〕
本発明においては、被試験物のサイズや形状によらず、基台に簡単に固定でき、固定手段も試験する際の作業に殆ど干渉しないから、試験を効率よく安全簡単に行うことができる。
【図面の簡単な説明】
【０００８】
【図１】基台本体を示す側面図。
【図２】基台本体を示す一部を拡大した斜視図。
【図３】機枠を示す斜視図。
【図４】加負荷手段を示す斜視図。
【図５】取付具及び軸棒挟持具を示す平断面図。
【図６】取付具及び軸棒挟持具を示す側断面図。
【図７】固定手段としてのストッパーを示す斜視図。
【図８】ストッパーを基台本体に固定した状態を示す断面図。
【図９】別形態のストッパーを示す斜視図。
【図１０】固定手段としての支柱を示す一部を拡大した斜視図。
【図１１】固定手段としての支柱を示す一部を拡大した斜視図。
【図１２】支柱を基台本体に固定した状態を示す断面図。
【図１３】支柱に被試験物である手すりを支持した状態を示す平面図。
【図１４】支柱に被試験物である手すりを支持した状態を示す平面図。
【図１５】別形態の支柱を示す側面図。
【図１６】別形態の支柱を示す一部を拡大した斜視図。
【図１７】固定手段としてのＴボルトブロックを示す三面図。
【発明を実施するための形態】
【０００９】
本発明の被試験物の固定用基台の一実施例を示す。
本実施例における固定用基台は、被試験物が載置固定される基台本体１と、該被試験物等を固定するために使用されるＴナットブロック２と、を備えている。
図１及び図２に示すように、上記基台本体１は、平面視で四角形状をなし、基礎板３と、該基礎板３の上面に配置されている複数個の表面板４とを有している。
上記表面板４は、平面視で正方形状の座部４Ａと、該座部４Ａの頂部に配された平面視で正方形板状の板部４Ｂと、からなり、平面視で該座部４Ａの面積よりも該板部４Ｂの面積を大きくすることにより、その周縁部に蟻溝５が形成されている。また複数個の表面板４は、互いの間に若干の間隙を介するようにして上記基礎板３の上面に碁盤目状に配置されており、ネジ４Ｃを用いることで該基礎板３に固定されている。そして、隣り合う一対の表面板４の間には、相対する蟻溝５により、断面Ｔ字形状のＴ溝６が形成されている。
【００１０】
上記複数個の表面板４の上面により、固定用基台の被試験物載置面７が形成される。
上記Ｔ溝６は、該複数個の表面板４が碁盤目状に配置されているため、平面視で四角形状をなす被試験物載置面７上で、縦方向及び横方向に延びる格子状をなすように設けられている。
また上記Ｔ溝６は、上記座部４Ａと、上記板部４Ｂと、が平面視で正方形状に形成されていることにより、基台本体１の何れの箇所においてもＴ溝６の断面形状が全て同一になっており、上記被試験物載置面７の縦方向及び横方向の何れの方向においてもＴ溝６相互の間隔（つまりＴ溝６間のピッチ）が全て同一になっている。
【００１１】
図２に示すように、上記Ｔナットブロック２は、上記Ｔ溝６に対応する断面逆Ｔ字形状に形成されている。該Ｔナットブロック２にはネジ穴８が、該Ｔナットブロック２の上面で開口し、かつ該Ｔナットブロック２の厚み方向（上記基台本体１の厚み方向でもあり、略鉛直方向）に設けられている。上記Ｔナットブロック２は複数個が準備されており、上記基台本体１の上記Ｔ溝６内に挿入されて使用され、また該Ｔ溝６内を摺動自在に構成されている。
【００１２】
上記固定用基台は、機枠９と合わせることで被試験物の試験装置を構成する。
図３に示すように、上記機枠９は、四角枠状の底枠１０と、該底枠１０の四隅からそれぞれ立設された枠柱１１と、上記枠柱１１の上端に差し渡された四角枠状の天枠１２とからなる。
上記底枠１０は、所定のサイズに設定されることで、その内側に上記固定用基台の基台本体１が適嵌されている。
上記枠柱１１の２つの外側面には、加負荷手段を取り付けるためのレール１３がそれぞれ１本ずつ取り付けられている。またレール１３の外面には、該加負荷手段の上下位置を合わせるための目盛り（図示略）が設けられている。
【００１３】
上記加負荷手段は、被試験物に負荷を与えて安定性や強度を測定するためのものであり、その一例を以下に示す。
図４に示すように、加負荷手段は、エアシリンダー１４と、該エアシリンダー１４のロッド１５に取り付けられている押圧板１６と、該エアシリンダー１４を支持する取着枠１７と、からなる。
上記取着枠１７は、上下二本の横桟１８，１８と、該上下二本の横桟１８，１８を両端部で連結する各一対ずつの縦桟１９，１９と、該一対の縦桟１９，１９に支持されて外方に差し出された回転軸棒２１，２１とからなる。
上記エアシリンダー１４は、ロッド１５を外部へ差し出した状態で支持枠２２内に収容されており、押圧板１６は、支持枠２２の外側に配置されている。該支持枠２２は、エアシリンダー１４のロッド１５が上記取着枠１７の横桟１８，１８と直交する方向へ延びるようにして、ボルト２３を用いて上記取着枠１７の横桟１８，１８に固定されている。
【００１４】
上記取着枠１７は、上記機枠９に対し、図５，図６に示すような、取付具２４と、軸棒挟持具２５とを用いて固定される。
上記取付具２４は、その根端部に上記レール１３の溝に適嵌されるＴ字形状の取付座２４Ａが突設されており、該取付座２４Ａを上記レール１３内に挿入することで、該レール１３に対して上下動自在とされる。
上記取付具２４には、第１固定ハンドル２６Ａが設けられており、該第１固定ハンドル２６Ａを締め付けることで、該第１固定ハンドル２６Ａから延びる固定ネジ２６Ｂの先端が上記レール１３の内面に圧接されて、該取付具２４が上記レール１３の所定位置に固定される。
上記取付具２４の上面には、取付凹部２４Ｂが設けられている。上記軸棒挟持具２５は、その根端部にフランジ２５Ａ，２５Ｂが上下に差し出されており、該下側のフランジ２５Ｂが上記本体部２４Ｂの取付凹部２４Ｂに挿入される。そして、上記取付具２４には第２固定ハンドル２７が設けられており、該第２固定ハンドル２７を締め付けることで、該取付具２４の取付凹部２４Ｂに挿入された上記軸棒挟持具２５のフランジ２５Ｂが固定される。
上記軸棒挟持具２５には軸孔２８が設けられている。該軸孔２８には、上記取着枠１７の回転軸棒２１，２１が挿入される。そして上記軸棒挟持具２５に対して上記取着枠１７を、上記回転軸棒２１，２１を回転軸として回転させることにより、上記取着枠１７を所定の角度に調整することができる。また上記軸棒挟持具２５には締付ネジ２９が設けられており、該締付ネジ２９を締め付けることで、該軸孔２８が縮径し、取着枠１７の回転を規制し、固定することが可能となる。
【００１５】
本実施例では固定手段として、図７に示すような底面部３１Ａと、正面部３１Ｂとからなる断面Ｌ字状の鋼材からなるストッパー３０を使用する。該ストッパー３０の底面部３１Ａには、３個のボルト貫通穴３２が設けられている。また該３個のボルト貫通穴３２相互の間隔は、上記Ｔ溝６間のピッチと同一になるように設定されている。
上記ストッパー３０の固定については、上記基台本体１のＴ溝６内のＴナットブロック２の３個を所定位置に移動させる。次いで、Ｔナットブロック２のネジ穴８と、ストッパー３０のボルト貫通穴３２とを相互に位置合わせしつつ、図８に示すように、該ボルト貫通穴３２を介してボルト３３をネジ穴８に螺入し、締め付けることで、基台本体１の被試験物載置面７にストッパー３０を固定する。
上記のようにストッパー３０を基台本体１上の所定位置に固定した後、例えばＪＩＳ  Ｔ９２６１  福祉用具ポータブルトイレの性能試験を行う。
即ち、後方安定性試験であれば、被試験物であるポータブルトイレの後脚を上記ストッパー３０にあてがい、該ポータブルトイレの座面に質量６０ｋｇのおもりを載せた状態として、該ポータブルトイレの背もたれ中央部に対し、上記加負荷手段の押圧板１６を介して１４０Ｎの水平力を後方に加える。
【００１６】
図９に示すように、固定手段である上記ストッパー３０Ａは、ボルト貫通穴３２に代えて、ボルト貫通スリット３２Ａを設けてもよい。該ストッパー３０Ａにおいても、該ボルト貫通スリット３２Ａを介してボルト３３をネジ穴８に螺入して基台本体１に固定する。
【００１７】
被試験物が手すりの場合について説明する。
該手すりにおいては、固定手段として台座４２が使用される。
図１０に示すように、台座４２は、四隅にボルト貫通穴４３が設けられた板状をなし、その中央部分に固定筒４２Ａが凸設されている。また、これらボルト貫通穴４３相互の間隔は、上記Ｔ溝６間のピッチと同一になるように設定されている。
上記手すり４０は、支柱４１を有しており、該支柱４１の下端は、上記台座４２の固定筒４２Ａに挿入されている。
図１１に示すように、上記支柱４１の上端には、手すり４０の手すり棒４４を挿通して支持する支持筒４１Ａが取り付けられている。
図１２に示すように、上記ボルト貫通穴４３を介してボルト３３をＴナットブロック２のネジ穴８に螺入することにより、上記手すり４０の支柱４１は、上記台座４２を介して基台本体１の所定位置に固定される。
上記支柱４１は、例えば図１３に示すように直線状に３個配置され、あるいは図１４に示すようにくの字状に３個配置され、各支柱４１の間に手すり棒４４が架設されて、手すり４０が構成される。そして該手すり棒４４の所定個所を上記加負荷手段の押圧板１６を用いて所定の力で押圧することにより、該手すり４０における支柱４１や手すり棒４４の変形の度合い等を試験する。
【００１８】
図１５に示すように高低差を有する手すり４０Ａに対しては、上記支柱４１を、内筒４１Ａと外筒４１Ｂとからなる望遠鏡状に伸縮可能なものとすることで、高低を調節する。
また図１６に示すように、上記台座４２は、ボルト貫通穴４３に代えてボルト貫通スリット４３Ａが設けられたものとしてもよい。
【００１９】
図１７には他の実施例が示される。
本実施例においては、被試験物の移動を抑制するための固定手段５９を被試験物載置面７上に固定するべく、断面逆Ｔ字形状の摺動ブロック５０から上方にネジ軸５１を差し出してなるＴボルトブロック５２を用いる。該Ｔボルトブロック５２のネジ軸５１は、固定板５３に設けられたスリット５４に挿通されており、また該ネジ軸５１には締め付けナット５５が螺着されている。
更に上記固定板５３の安定化を図るべく、該固定板５３の根端部にネジ穴５６が設けられ、該ネジ穴５６に対して、座板５７から立設したネジ軸５８が螺入されている。
上記構成にあっては、上記Ｔボルトブロック５２の摺動ブロック５０を上記基台本体１のＴ溝６内に挿入し、所定位置にて上記締め付けナット５５を締め付けて固定板５３を下方に押圧することで、被試験物の固定手段５９を基台本体１の被試験物載置面７と、該固定板５３との間に挟持固定する。また同時に、ネジ軸５８の該固定板５３のネジ穴５６に対する螺合度を調節し、座板５７を上記基台本体１の被試験物載置面７上に載置することで該固定板５３の根端部を支持する。
なお上記固定手段５９は、上記被試験物載置面７と上記固定板５３との間に挟持固定可能な形状のものであれば特に限定されず、望ましくは板状のもの、あるいは周縁から鍔状（フランジ状）部分が延設されているものであり、その形状の具体例としては、上記のストッパー３０や台座４２に似た形状のものが挙げられる。また上記固定手段５９が上記のストッパー３０や台座４２に似た形状のものである場合、上記したボルト貫通穴３２，４３やボルト貫通スリット３２Ａ，４３Ａが設けられていないものであっても、固定手段５９であるストッパーや台座を被試験物載置面７上に固定することが可能である。さらに、上記したように手すり４０を固定するべく台座を複数使用する際に該複数の台座の厚さが相互に異なるような場合であっても、本実施例では複数の台座をそれぞれ固定することが可能であり、本実施例は、厚さにばらつきがある固定手段５９に対応できるという利点を有する。
【産業上の利用可能性】
【００２０】
本発明にあっては、試験を行う際、被試験物のサイズや形状によらず、該被試験物を基台に簡単に支持固定することができ、もってＪＩＳ規格試験等の試験を簡便に行うことが可能になるから、本発明は産業上利用可能である。
【符号の説明】
【００２１】
１      基台本体
２      Ｔナットブロック
６      Ｔ溝
７      被試験物載置面
３０    ストッパー
４２    台座
３２，４３      ボルト貫通穴
３２Ａ，４３Ａ  ボルト貫通スリット
５０      摺動ブロック
５１      ネジ軸
５２      Ｔボルトブロック
５３      固定板
５４      スリット
５５      締め付けナット
５６      ネジ穴
５７      座板
５８      ネジ軸
【図１】
2013072818.tif 000003
【図２】
2013072818.tif 000004
【図３】
2013072818.tif 000005
【図４】
2013072818.tif 000006
【図５】
2013072818.tif 000007
【図６】
2013072818.tif 000008
【図７】
2013072818.tif 000009
【図８】
2013072818.tif 000010
【図９】
2013072818.tif 000011
【図１０】
2013072818.tif 000012
【図１１】
2013072818.tif 000013
【図１２】
2013072818.tif 000014
【図１３】
2013072818.tif 000015
【図１４】
2013072818.tif 000016
【図１５】
2013072818.tif 000017
【図１６】
2013072818.tif 000018
【図１７】
2013072818.tif 000019